(57)【要約】      （修正有）【課題】お墓に設けた納骨空間に納骨する際に開けるロック機能を備えた納骨用扉を提供する。【解決手段】納骨用扉９ａは香炉台の正面に設けた納骨口に左右対を成して戸尻側を軸支して取付けられ、そして一方側の納骨用扉の戸先には他方の納骨用扉あの戸先側正面に重なり合う当り１４を設け、香炉台天板１６には回転ツマミ２６を回転可能に取付けると共に回転ツマミ２６の軸部３１から偏心した位置にロックピン２７を下方へ延ばし、上記当り１４を設けた納骨用扉の上端部には戸先からガイド溝２４を形成し、このガイド溝２４に上記ロックピン２７を嵌入してロックすることが出来る。【選択図】図４
0003159658.tif 000002
【実用新案登録請求の範囲】
【請求項１】
お墓に設けた納骨空間に納骨する際に開ける納骨用扉において、該納骨用扉は香炉台正面に設けた納骨口に左右対を成して戸尻側を軸支して取付けられ、そして一方側の納骨用扉の戸先には他方の納骨用扉の戸先側正面に重なり合う当りを設け、香炉台天板には回転ツマミを回転可能に取付けると共に回転ツマミの軸部から偏心した位置にロックピンを下方へ延ばし、上記当りを設けた納骨用扉の上端部には戸先からガイド溝を形成し、このガイド溝に上記ロックピンを嵌入してロックしたことを特徴とするロック機能を備えたお墓の納骨用扉。
【請求項２】
上記ロックピンにナットを螺合して回転ツマミの外れを防止した請求項１記載のロック機能を備えたお墓の納骨用扉。
【考案の詳細な説明】
【技術分野】
【０００１】
お墓には納骨空間が設けられるが、本考案はこの納骨空間の入口に取付けられてロック機能を備えた納骨用扉に関するものである。
【背景技術】
【０００２】
昔からの風習の違いによりお墓にも色々あり、又納骨の仕方も違っている。西日本では死人は土に返るといわれ、納骨は骨壺を用いることなく土の上に直接納められ、長い年月を経て骨は風化していく。風化して無くなるまでには何十年といった期間が経過することになるが、納骨された墓内部は空気の出入れがなく、湿気を帯びた空間となっている。従ってお骨には結露が発生し、特に質の良くない石を用いたお墓はこの結露現象が著しい。
【０００３】
又、従来のお墓には納骨する入口を塞ぐ為の大きな石が置かれている。これは墓の正面にある場合と後ろ側に設けている場合があるが、何れにしてもこの石を動かすことは容易でなく、子供や女性では不可能である。勿論、軽くて小さな石で納骨口を塞いだのでは、該石が位置ズレしたり、いたずらで簡単に取り外されては困ることから、従来ではこのような大きな石を置いて塞いでいるのが実状である。
【０００４】
特開２００８−１４４３８８号に係る「納骨蓋付墓石」は、墓への納骨作業を行うとき、供物台など付属石の移動を必要とせず、納骨蓋の取外しのみにより、安全かつ容易に納骨が出来る構造の墓石である。
そこで、墓石の中台に設けられている納骨室開口部の前面両側に当接する花立、蝋燭立てを一体とし、その正面に同一石材にて、取外式納骨蓋を取付け、この納骨蓋を取外しすることにより、納骨作業時に重い供物台、花立、蝋燭立てを移動する必要がなく納骨を安全かつ容易に作業が出来る。
【０００５】
ところで、上記納骨蓋付墓石は取外式の納骨蓋を備えているが、悪戯で納骨蓋が取外されてしまうことがある。すなわち、納骨作業時に重い供物台、花台、蝋燭立てを移動する必要はなくなるが、納骨蓋が外される危険性が常に存在する。むしろ、その方が心配であると共に問題となる。
【特許文献１】特開２００８−１４４３８８号に係る「納骨蓋付墓石」
【考案の開示】
【考案が解決しようとする課題】
【０００６】
このように従来のお墓に設けられる納骨空間の納骨口に取付けられる納骨蓋には上記のごとき問題がある。本考案が解決しようとする課題はこの問題点であり、他人が簡単に開けることが出来ないように、すなわち、ロック機能を備えたお墓の納骨用扉を提供する。
【課題を解決するための手段】
【０００７】
お墓はお骨を収容する為の納骨空間を底に有し、該納骨空間の納骨口には開閉する対を成す２枚の納骨用扉を取付けている。ここで、納骨用扉は戸尻側に設けた軸を中心として開閉する構造とし、一方側の納骨用扉の先端には当りを設けて他方の納骨用扉の先端に重なり合うことが出来る。従って、一方側の納骨用扉を開かない限り、他方の納骨用扉は当りに当って開くことは出来なく成っている。
【０００８】
そこで、本考案では先端に当りを有す一方側の納骨用扉をロックすることが出来るロック装置を備えている。納骨用扉は納骨空間に通じる香炉台の正面に取付けられ、そして、一方側の納骨用扉をロックすることが出来るロック装置は香炉台の天板に設けられる。該ロック装置は天板上に配置される回転ツマミ、回転ツマミの軸部から下方へ延びるロックピンを有し、一方側の納骨用扉の戸先側上端にはガイド溝が形成され、このガイド溝に回転ツマミを回転することで上記ロックピンが嵌入することが出来る。
【０００９】
ロックピンは回転ツマミの軸部中心から偏心した位置に取付けられ、その為に回転ツマミを回転することでガイド溝に嵌入してロックされ、納骨用扉を開く時にはロックピンをガイド溝から外して両納骨用扉間に存在する隙間に位置するように回転ツマミを逆回転する。ここで、該回転ツマミの形態は特に限定しないが、上面に家紋を刻印したり、又は上に湯呑みを取付ける場合もある。
【考案の効果】
【００１０】
本考案に係る納骨用扉は香炉台正面に設けた納骨口に左右対を成して装着され、一方の納骨用扉の戸先側に当りを形成し、該当りは他方の納骨用扉の戸先側正面に重なり合っている。そして、一方側の納骨用扉はロック装置にてロックされるならば開くことが出来ず、他方の納骨用扉は当りに当って開くことが出来なくなる。
【００１１】
ところで、ロック装置は香炉台の天板に配置される回転ツマミを回転操作することで納骨用扉が開かないようにロックされるが、該回転ツマミは上面に家紋を刻印したり、湯呑みを載置するなどした形態としている。従って、他人はこの回転ツマミがロック装置であり、回転することで納骨用扉が開くことは分かり難く、該納骨用扉が悪戯で勝手に開かれることはない。
【図面の簡単な説明】
【００１２】
【図１】本考案の納骨用扉を備えたお墓の一部断面を含む側面図。
【図２】下台の正面に設置される香炉台。
【図３】香炉台の納骨口に取付けられる一方側の納骨用扉。
【図４】納骨用扉のロック装置。
【図５】納骨用扉のロック装置の平面図。
【図６】回転ツマミの具体例。
【図７】回転ツマミの上に湯飲みを取付けた場合。
【考案を実施するための形態】
【００１３】
図１は本考案に係る納骨用扉を備えたお墓の一部断面を含む側面図を表している。本考案ではお墓自体の全体構造は限定しないが、同図に示すお墓は、芝台１、下台２、上台３、蓮華４、仏石５が積み重ねられた構造と成っている。勿論、材質は耐久性に優れた石であり、芝台１には納骨空間６が設けられている。そして、下台２には上記納骨空間６へ通じる納骨道７を有し、該納骨道７の正面には納骨口８が形成されている。又、図示していないが、該納骨空間６の奥には小さな仏像を設置することもあり、お骨はこの納骨空間６に収容される。
【００１４】
図２は芝台１の上であって下台２の正面に設置される香炉台１０を示している。該香炉台１０にはその両側に花立て１１，１１が設けられ、該花立て１１，１１には上端が開口している穴１２，１２を有し、この穴１２，１２には花が挿入される筒が嵌められる。そして、中央には２枚の納骨用扉９ａ，９ｂが対を成して装着され、両納骨用扉９ａ，９ｂが開かないようにロック装置１３が設けられている。
【００１５】
ところで、上記納骨用扉９ａ，９ｂは戸尻側が軸支されて揺動可能としており、一方側の納骨用扉９ｂの戸先先端には当り１４が形成されて、該当り１４は他方の納骨用扉９ａが閉じた状態で戸先側正面に重なり合うことが出来る。その為に、納骨用扉９ｂを開かない限り、他方の納骨用扉９ａを開くことは出来ない。一方、図２に示すように、該当り１４は両納骨用扉９ａ，９ｂが閉じた状態で香炉台１０の正面中央に位置することで、１つの装飾部位となる。
【００１６】
そして、香炉台１０の納骨用扉９ａ，９ｂの奥にはロウソク立て部１５が設けられ、天板１６の中央には穴１７が貫通し、この穴１７に栓１８が嵌って取付けられている。さらに、天板１６の上には滑らかに湾曲した概略半楕円形の笠１９が取付けられている。下板１０に形成される上記ロウソク立て部１５にロウソク立て（図示なし）が取着され、又線香立てが取付けられる。
【００１７】
そこで、上記栓１８を取外して穴１７を開口するならば、線香の煙は該穴１７を流れて笠１９の空間２２まで上昇して周囲に漂うことになる。勿論、香炉台１０の内部空間２１にも線香の煙は漂う。ところで、この香炉台１０は下台２とは別に製作されて芝台１の上に設置される。又、笠１９はさらに別部材として製作されて、天板１６の上に固定されている。従って、肉厚の薄い笠１９が損傷した際には、新たな笠１９に簡単に取り替えることが出来るようにしている。
【００１８】
図３は納骨用扉９ｂを示す実施例であり、僅かに湾曲した四角形の板材で、その材質は同じ墓石が使用されている。戸尻側２３が軸支されて揺動可能と成っており、戸先側先端には当り１４が設けられ、該当り１４は戸先の正面側に段差を設けて突出し、上下方向に延びている。そして、納骨用扉９ｂの上端部には戸先２５から切欠かれた細長いガイド溝２４が形成されている。他方の納骨用扉９ａには上記当り１４はなく、又ガイド溝２４も存在しない。
【００１９】
図４はロック装置１３の詳細を示す実施例であり、ロック装置１３は回転ツマミ２６、ロックピン２７、及びガイド溝２４で構成され、回転ツマミ２６は天板１６の上に載置されて回転することが出来る。天板１６には所定の深さの穴２８が設けられ、該穴２８にはステンレス製の筒２９が嵌って天板上面３０から上方へ突出している。そしてこの筒２９には回転ツマミ２６の下方へ延びた軸部３１が嵌っている。
【００２０】
さらに、該軸部３１には上記ロックピン２７が取付けられて、下方へ延びている。ただし、該ロックピン２７は軸部３１の中心ではなく、中心から所定の距離だけ偏心した位置に取付けられている。従って、回転ツマミ２６が筒２９をガイドとして回転するならば、ロックピン２７は軸部３１の中心を基軸として旋回してガイド溝２４に嵌入することが出来る。
【００２１】
同図はガイド溝２４にロックピン２７が嵌入する前の状態であり、その為に納骨用扉９ｂは開くことが出来る。しかし、ロックピン２７がガイド溝２４に嵌入すると納骨用扉９ｂはロックされて開くことが出来なくなる。ところで、天板１６の穴２８の底にもガイド溝２４と同じガイド溝３２が設けられ、ロックピン２７はガイド溝３２に沿って旋回することが出来る。又、ロックピン２７にはネジが形成され、該ネジにナット３３が螺合して回転ツマミ２６を持ち上げて外れないようにしている。
【００２２】
又、筒２９が上面３０から上方へ突出していることで、天板１６に降った雨水が穴２８に流れ落ちて、ガイド溝３２から香炉台１０の内部へ侵入することはない。図５はロック装置１３の平面図であり、納骨用扉９ａ，９ｂの戸先２５，２５の間に設けている隙間３４にロックピン２７が位置している。しかし、回転ツマミ２６が回転することでロックピン２７はガイド溝２４へ嵌入することが出来、その結果、納骨用扉９ｂはロックされ、他方の納骨用扉９ａは当り１４に当ってロックされる。
【００２３】
図６は回転ツマミ２６を単独で示している具体例であり、軸部３１には偏心した位置にロックピン２７が延び、該ロックピン２７には回転ツマミ２６を天板１６に取付けた状態でナット３３が螺合する。図７は回転ツマミ２６の別形態を示す具体例であり、該回転ツマミ２６の上には湯飲み３５が取付けられている。湯飲み３５を取付けない場合には、該回転ツマミ２６の上面には家紋が刻印される。
【００２４】
本考案の納骨用扉はロック装置１３を備えていることで、他人が悪戯で開くことは出来ない。回転ツマミ２６を回転することでロックが解錠されて納骨用扉９ａ，９ｂが開くようになることは分からない。まして、回転ツマミ２６に湯飲み３５を取付けた形態となるならば、さらに分かり難くなる。
【符号の説明】
【００２５】
１  芝台
２  下台
３  上台
４  蓮華
５  仏石
６  納骨空間
７  納骨道
８  納骨口
９  納骨用扉
10  香炉台
11  花立て
12  穴
13  ロック装置
14  当り
15  ロウソク立て部
16  天板
17  穴
18  栓
19  笠
20  下板
21  空間
22  空間
23  戸尻側
24  ガイド溝
25  戸先
26  回転ツマミ
27  ロックピン
28  穴
29  筒
30  上面
31  軸部
32  ガイド溝
33  ナット
34  隙間
35  湯飲み
【図１】
0003159658.tif 000003
【図２】
0003159658.tif 000004
【図３】
0003159658.tif 000005
【図４】
0003159658.tif 000006
【図５】
0003159658.tif 000007
【図６】
0003159658.tif 000008
【図７】
0003159658.tif 000009